(57)【要約】【課題】埋め戻し不良による地盤の陥没を防ぐ電柱建て工法を提供する。【解決手段】地面３を掘削した穴４に電柱１を建て、穴４の側壁と電柱１との間には予め形成された埋め込み部材２を挿入して埋め込む。埋め込み部材２と穴４表面との間に土質改良剤を注入して固化部分６を形成する。この固化部分６には予め接地電極５が埋め込まれており、この接地電極５は電柱１に電気的に接続されている。そして、埋め込み部材２の上には埋め戻し土砂７が載せられる。【選択図】図１
2006336382.tif 000002
【特許請求の範囲】
【請求項１】
地面を掘削した穴に電柱を差し込んで埋める、電柱建て工法であって、
穴に電柱を差し込む工程と、
前記穴の表面と前記電柱との間の隙間に予め形成された埋め込み部材を挿入する工程と、
前記穴の表面と前記埋め込み部材との間に土質改良剤を注入する工程と
を含む、電柱建て工法。
【請求項２】
地面を掘削した穴に電柱を差し込んで埋める、電柱建て工法であって、
電柱下部に予め形成された埋め込み部材を取り付ける工程と、
前記埋め込み部材が取り付けられた前記電柱の部分を穴に差し込む工程と、
前記穴の表面と前記埋め込み部材との間に土質改良剤を注入する工程と
を含む、電柱建て工法。
【請求項３】
地面を掘削した穴に電柱を差し込んで埋める、電柱建て工法であって、
前記穴に前記電柱の径よりも内径が大きい筒を差し込む工程と、
前記筒内に前記電柱を差し込む工程と、
前記筒内面と前記電柱との間の隙間に予め形成された埋め込み部材を挿入する工程と
を含む、電柱建て工法。
【請求項４】
地面を掘削した穴に電柱を差し込んで埋める、電柱建て工法であって、
前記穴に前記電柱の径よりも内径が大きい筒を差し込む工程と、
電柱下部に予め形成された埋め込み部材を取り付ける工程と、
前記埋め込み部材が取り付けられた前記電柱の部分を前記筒内に差し込む工程と
を含む、電柱建て工法。
【請求項５】
前記埋め込み部材の上端は地面より下側に設置され、
前記埋め込み部材の上端の上に土砂を載せる工程をさらに含む、請求項１から４の何れか一つに記載の電柱建て工法。
【請求項６】
前記土質改良剤が注入された土砂に接地電極を設置する、請求項１または２に記載の電柱建て工法。
【請求項７】
前記筒を差し込む工程は、前記穴を掘削しながら行なわれる、請求項３または４に記載の電柱建て工法。
【請求項８】
前記筒の表面の少なくとも一部は導電性部材からなる、請求項３または４に記載の電柱建て工法。
【請求項９】
前記埋め込み部材は、プラスチック、ゴムまたは木からなる、請求項１から８の何れか一つに記載の電柱建て工法。
【発明の詳細な説明】
【技術分野】
【０００１】
本発明は電柱建て工法に関し、特に地面を掘削した穴に電柱を差し込んで埋める電柱建て工法に関するものである。
【背景技術】
【０００２】
電柱を建てるためには電柱の径よりも大きな径の穴を地面に掘る必要がある。通常の土砂の地盤の場合は、回転軸の周りに螺旋翼を設けたオーガロッドを用いて穴を掘削し、地盤が岩盤の場合は、削岩機とロックビットとで小径の下穴を穿孔した後、中央部に前方へ突出する棒状の案内部材を備え該案内部材の周囲には複数のカッタービットが設けられた座ぐり用工具を用いて、その案内部材を前記下穴に嵌合させた状態で回転穿孔装置で回転と推力を付与することにより前記下穴の開口周縁部に平滑な座ぐり面を形成し、次に、カップ譲歩運体の開口縁部に硬質の刃体を設け、その芯部には前方へ突出する棒状の案内部材を設けたリング状穿孔工具を用いて、その案内部材を前記下穴に嵌合させた状態で回転穿孔装置で回転と推力とを付与することにより、前記座ぐり面に前記下穴を中心とする環状の切り目を形成した後、該切り目よりも内側の部分を破砕して、所望の建柱穴とする方法が知られている（例えば、特許文献１参照）。
【０００３】
穴を掘った後は電柱を穴に差し込んで、電柱と穴内面との間に掘削土砂をいれるいわゆる埋め戻しを行って、上から土砂を押し固めて電柱を固定する。
【特許文献１】特開平８−１３５３５５号公報
【発明の開示】
【発明が解決しようとする課題】
【０００４】
しかしながら掘削土砂は、砂が多い場合や、小石が多い場合があり、このような場合は電柱がぐらついてしまったり、埋め戻しを行った後に埋め戻し部分が陥没してしまう場合がある。通常の地面を掘削して電柱を建てる場合は、地中に埋設される電柱の体積分だけ掘削された土砂のうち埋め戻しに用いる土砂の量が少ないため、陥没が生じない良質な土砂だけを埋め戻しに用いることも可能であるが、既設の電柱をなんらかの理由で立て直す場合は、掘削される土砂を全て埋め戻しに用いるため、陥没が生じやすい。
【０００５】
また、既設の電柱を掘り出して新たな電柱を埋める場合は、既設の電柱が邪魔になって電柱の掘り出しが困難であるという問題もある。
【０００６】
本発明は、かかる点に鑑みてなされたものであり、その目的とするところは、埋め戻し不良による地盤の陥没を防ぐ電柱建て工法を提供することにある。
【課題を解決するための手段】
【０００７】
本発明の第１の電柱建て工法は、地面を掘削した穴に電柱を差し込んで埋める、電柱建て工法であって、穴に電柱を差し込む工程と、前記穴の表面と前記電柱との間の隙間に予め形成された埋め込み部材を挿入する工程と、前記穴の表面と前記埋め込み部材との間に土質改良剤を注入する工程とを含む。土質改良剤は、地盤を固める固化剤であって、穴が崩れるのを防ぐ。予め形成された埋め込み部材は、穴の表面と電柱との間の隙間を埋めるような形状に形成されていることが好ましく、複数の部分に分割されていても構わない。
【０００８】
本発明の第２の電柱建て工法は、地面を掘削した穴に電柱を差し込んで埋める、電柱建て工法であって、電柱下部に予め形成された埋め込み部材を取り付ける工程と、前記埋め込み部材が取り付けられた前記電柱の部分を穴に差し込む工程と、前記穴の表面と前記埋め込み部材との間に土質改良剤を注入する工程とを含む。なお、電柱下部とは電柱を建てたときに下になる部分である。
【０００９】
本発明の第３の電柱建て工法は、地面を掘削した穴に電柱を差し込んで埋める、電柱建て工法であって、前記穴に前記電柱の径よりも内径が大きい筒を差し込む工程と、前記筒内に前記電柱を差し込む工程と、前記筒内面と前記電柱との間の隙間に予め形成された埋め込み部材を挿入する工程とを含む。
【００１０】
本発明の第４の電柱建て工法は、地面を掘削した穴に電柱を差し込んで埋める、電柱建て工法であって、前記穴に前記電柱の径よりも内径が大きい筒を差し込む工程と、電柱下部に予め形成された埋め込み部材を取り付ける工程と、前記埋め込み部材が取り付けられた前記電柱の部分を前記筒内に差し込む工程とを含む。
【００１１】
本発明の電柱建て工法は上記の構成により、土質改良剤または筒により穴が崩れるのを防止し、埋め込み部材により電柱を支持し、また埋め込み部材が埋め戻し土砂の代わりを果たす。
【００１２】
前記埋め込み部材の上端は地面より下側に設置され、前記埋め込み部材の上端の上に土砂を載せる工程をさらに含むことが好ましい。
【００１３】
ある好適な実施形態において、前記土質改良剤が注入された土砂に接地電極を設置する。
【００１４】
ある好適な実施形態において、前記筒を差し込む工程は、前記穴を掘削しながら行なわれる。
【００１５】
ある好適な実施形態において、前記筒の表面の少なくとも一部は導電性部材からなる。さらに、前記導電性部材と電柱とが電気的に接続されていることが好ましい。
【００１６】
前記埋め込み部材は、プラスチック、ゴムまたは木からなることが好ましい。
【発明の効果】
【００１７】
地面を掘削した穴に電柱を建てる際に、電柱と穴内面との空間をプラスチックからなる埋め込み部材で埋め込みを行うので、埋め込み部材が電柱を確実に支持し、盛られた土の陥没を防ぐ。
【発明を実施するための最良の形態】
【００１８】
以下、本発明の実施形態を図面に基づいて詳細に説明する。以下の図面においては、説明の簡潔化のため、実質的に同一の機能を有する構成要素を同一の参照符号で示す。なお、以下の実施形態は例示であって、本発明はこれらの例に限定されない。
【００１９】
（実施形態１）
実施形態１の電柱建て工法により建てられた電柱およびその周辺部分の鉛直断面図を図１に示す。本実施形態では、地面３を掘った穴４に電柱１を建てている。穴４は電柱１の１．５〜２倍ぐらいの直径を有している。穴４の内面と電柱１との間の空間は発泡スチロールからなる埋め込み部材２によって埋め込まれている。埋め込み部材２の上には埋め戻し土砂７が載せられている。埋め戻し土砂７を載せる空間を除いて、穴４の内面と電柱１との間の空間は埋め込み部材２によってほぼ隙間無く埋め込まれている。穴４の側壁表面近辺の地盤部分には土質改良剤が注入された固化部分６が存している。また、この固化部分６の一部には接地電極５が埋め込まれており、この接地電極５は電柱１と電気的に接続されている。
【００２０】
次に本実施形態に係る電柱建て工法を図２（ａ）〜（ｄ）を参照して説明する。
【００２１】
まず、図２（ａ）に示すように、地面３に横断面が円形の穴４を掘る。穴４の掘削は、オーガロッドなどを用いて行う。また、この掘削の際に掘り出した土砂のうち、埋め戻しても陥没しない良質の土砂を埋め戻し土砂７用として保管しておく。
【００２２】
それから図２（ｂ）に示すように、穴４の表面近くに接地電極５を埋め込む。そして電柱１を穴４の中に差し込み立てる。
【００２３】
次に、図２（ｃ）に示すように、電柱１と穴４側壁表面との間の空間に埋め込み部材２を挿入して埋め込む。さらに埋め込み部材２と穴４側壁表面との間に土質改良剤を注入する。即ち、埋め込み部材２と接している穴４側壁表面から地面３へと土質改良剤を注入するのである。これにより埋め込み部材２を取りまく土砂が固化して固化部分６となる。この状態を上方から見たのが図３である。埋め込み部材２は挿入しやすいように上から見たときに扇形に分割されている。なお埋め込み部材２は穴４の中に全て埋没していて地面の上方には出ていない。
【００２４】
最後に図２（ｄ）に示すように、埋め込み部材２の上に埋め戻し土砂７を載せて工事を終える。
【００２５】
本実施形態に係る電柱建て工法は、次のような効果を奏する。
【００２６】
埋め込み部材２により穴４側壁と電柱１との間の空間をほとんど埋めるので、埋め戻し不良による陥没が生じることはない。また、埋め込み部材２は発泡スチロールからなっているので、軽量で施工しやすく、施工効率が上がる。
【００２７】
穴４側壁表面近辺に土質改良剤が注入されているので、この電柱１を将来建て替えるときに抜いても穴４が崩れることがなく、建て替え工事が容易に行える。この電柱１を抜く際には、埋め込み部材２とともに、あるいは埋め込み部材２を破砕して抜けばよいので、簡単に抜くことができ、掘削する必要がない。また、土質改良剤が注入された固化部分６に接地電極５を埋め込んでいるので、土質改良剤によって接地抵抗が下がり確実に接地を行うことができる。
【００２８】
なお、土質改良剤は埋め込み部材２を挿入する前に地盤に対して注入しても構わない。
【００２９】
（実施形態２）
実施形態２に係る電柱建て工法は、実施形態１の工法と一部が異なっているだけで他は同じであるので、異なっている部分について詳しく説明する。
【００３０】
本実施形態に係る電柱建て工法は、穴４に電柱１と埋め込み部材２とを同時に入れる点が実施形態１とは異なっている。即ち、図４に示すように、本実施形態では、電柱１の下部に予め埋め込み部材２を取り付けておいて、これをそのまま穴４に入れるのである。埋め込み部材２の電柱１への取付方法は、接着、はめ込み、縛り付けなどどのような方法でもよい。接地電極５の設置や土質改良剤の注入については実施形態１と同じである。
【００３１】
本実施形態に係る電柱建て工法は、実施形態１の効果に加えて次のような効果を奏する。
【００３２】
埋め込み部材２を電柱１下部に取り付ける工程を別途行っておいて、埋め込み部材２付き電柱１を穴４の中に差し込むので、電柱１を建てる工事が短時間で行える。特に予め工場などで埋め込み部材２を電柱１下部に取り付けておけば、電柱１を建てる現場での工事時間をより短縮でき、工事コストを低減させることができる。
【００３３】
（実施形態３）
実施形態３に係る電柱建て工法により建てられた電柱およびその周辺部分の鉛直断面図を図５に示す。本実施形態では、実施形態１と同様に、地面３を掘った穴４に電柱１を建てている。穴４は電柱１の１．５〜２倍ぐらいの直径を有している。穴４には金属製の筒１１が差し込まれている。筒１１の外径は、穴４の径とほぼ同じかやや小さい。また、筒１１の内径は電柱１の径の２〜３倍ぐらいである。筒１１の内面と電柱１との間の空間には発泡スチロールからなる埋め込み部材２が埋め込まれている。埋め込み部材２の上には埋め戻し土砂７が載せられている。埋め戻し土砂７を載せる空間を除いて、筒１１の内面と電柱１との間の空間には埋め込み部材２がほぼ隙間無く埋め込まれている。筒１１は接地電極としても機能し、電柱１と電気的に接続されている。
【００３４】
次に本実施形態に係る電柱建て工法を図６（ａ）〜（ｅ）を参照して説明する。
【００３５】
まず、図６（ａ）に示すように、地面３に横断面が円形の穴４を掘る。穴４の掘削は、オーガロッドなどを用いて行う。また、この掘削の際に掘り出した土砂のうち、埋め戻しても陥没しない良質の土砂を埋め戻し土砂７用として保管しておく。
【００３６】
それから図６（ｂ）に示すように、穴４に筒１１を差し込む。筒１１の外径は穴４の径とほぼ同じかやや小さく設定されているので、穴４の中に筒１１を容易に差し込むことができる。
【００３７】
次に図６（ｃ）に示すように、筒１１の中に電柱１を差し込む。筒１１と電柱１とを電気的に接続する。
【００３８】
その後に図６（ｄ）に示すように、筒１１内面と電柱１との間の空間に埋め込み部材２を挿入する。埋め込み部材２の上端は地盤表面よりも下に位置するように埋め込み部材２の大きさを予め設定しておく。
【００３９】
それから図６（ｅ）に示すように、埋め込み部材２の上に埋め戻し土砂７を載せて工事を終える。
【００４０】
本実施形態に係る電柱建て工法は、次のような効果を奏する。
【００４１】
埋め込み部材２により筒１１内壁と電柱１との間の空間をほとんど埋めるので、埋め戻し不良による陥没が生じることはない。また、埋め込み部材２は発泡スチロールからなっているので、軽量で施工しやすく、施工効率が上がる。
【００４２】
穴４には筒１１が差し込まれているので、電柱１を穴４に差し込んで埋め込み部材２を挿入する間に穴４が崩れてくることがなく工事を容易に行うことができるとともに、この電柱１を将来建て替えるときに抜いても穴４が崩れることがなく、建て替え工事が容易に行える。この電柱１を抜く際には、埋め込み部材２とともに、あるいは埋め込み部材２を破砕して抜けばよいので、簡単に抜くことができ、掘削する必要がない。
【００４３】
筒１１が接地電極の役割も果たすので、別途接地電極を埋める必要が無く、工事コストを低減させることができる。
【００４４】
（実施形態４）
実施形態４に係る電柱建て工法は、実施形態３の工法と一部が異なっているだけで他は同じであるので、異なっている部分について詳しく説明する。
【００４５】
本実施形態に係る電柱建て工法は、筒１１内に電柱１と埋め込み部材２とを同時に入れる点が実施形態３とは異なっている。即ち、本実施形態では図７に示すように、電柱１の下部に予め埋め込み部材２を取り付けておいて、これをそのまま筒１１内に入れるのである。埋め込み部材２の電柱１への取付方法は、接着、はめ込み、縛り付けなどどのような方法でもよい。
【００４６】
本実施形態に係る電柱建て工法は、実施形態３の効果に加えて次のような効果を奏する。
【００４７】
埋め込み部材２を電柱１下部に取り付ける工程を別途行っておいて、埋め込み部材２付き電柱１を筒１１の中に差し込むので、電柱１を建てる工事が短時間で行える。特に予め工場などで埋め込み部材２を電柱１下部に取り付けておけば、電柱１を建てる現場での工事時間をより短縮でき、工事コストを低減させることができる。
【００４８】
（その他の実施形態）
これまで説明した実施形態以外に以下に示すような実施形態であっても構わない。
【００４９】
実施形態３，４において、穴４を掘削しながら筒１１を差し込んでいってもよい。つまり、掘削し終わった場所から順に筒１１を差し込んでいき、これにより掘削途中に穴４が崩れてくるのを防ぐのである。
【００５０】
土質改良剤は、地盤を固化させるものであればどのような薬剤であっても構わない。
【００５１】
埋め込み部材２の材質や形状は、穴４表面又は筒１１内面と電柱１との間の空間を埋めることができ、電柱１がぐらつかないように支持できればどのようなものでも構わない。発泡材料やハニカム構造などの中空材料であると、軽量であって施工が簡単であり、輸送もし易いので好ましい。材質は、プラスチック、ゴムまたは木が好ましく、なかでも腐食しなくて取り扱いやすいプラスチックがより好ましい。埋め込み部材２を予め電柱１の下部に取り付けておく場合は、埋め込み部材２を筒型にしたり、ロール状に巻き付けてもよい。
【００５２】
穴４の掘削は、何も建っていない地面３を掘る他、既設の電柱を掘り出して行っても良い。この場合、既設の電柱が本願の工法で建てられていれば、埋め込み部材２ごと電柱を引き抜くことができ、掘り出し工事の効率が上がるので好ましい。
【００５３】
接地電極の形状、材質、数などは、アースとしての役割を果たすのであればどのような形状、材質、数であっても構わない。
【００５４】
埋め戻し土砂７の上にアスファルトやコンクリートを敷いてもよい。また、埋め戻し土砂は、掘削した土砂以外に別の場所から運んだ土砂であっても構わない。
【００５５】
実施形態３，４において、筒１１は少なくとも表面の一部が導電性部材からなっていれば接地電極としての役割を果たすので、少なくとも表面の一部が導電性部材からなっていればよい。
【産業上の利用可能性】
【００５６】
以上説明したように、本発明に係る電柱建て工法によれば、埋め込み部材が電柱を確実に支持し埋め戻し土砂の陥没も防ぐので、電柱や街路灯の支持柱等を建てる工事方法等として有用である。
【図面の簡単な説明】
【００５７】
【図１】実施形態１による電柱建て工事が行われた電柱埋め立て部分の模式的な断面図である。
【図２】実施形態１に係る電柱建て工法を工程順に示す模式的な断面図である。
【図３】図２（ｃ）を上方から見た模式的な図である。
【図４】実施形態２に係る電柱建て工法を示す模式的な断面図である
【図５】実施形態３による電柱建て工事が行われた電柱埋め立て部分の模式的な断面図である。
【図６】実施形態３に係る電柱建て工法を工程順に示す模式的な断面図である。
【図７】実施形態４に係る電柱建て工法を示す模式的な断面図である
【符号の説明】
【００５８】
１      電柱
２      埋め込み部材
３      地面
４      穴
５      接地電極
６      固化部分
７      埋め戻し土砂
１１    筒
【図１】
2006336382.tif 000003
【図２】
2006336382.tif 000004
【図３】
2006336382.tif 000005
【図４】
2006336382.tif 000006
【図５】
2006336382.tif 000007
【図６】
2006336382.tif 000008
【図７】
2006336382.tif 000009